(57)【要約】【課題】シェーディング補正をした状態で最適の光量バランス調整を行い、厚めの原稿であっても良好な画像読取を行うことである。【解決手段】移動手段によりＣＩＳユニットを白色基準板の位置まで移動させ、複数の光源により白色基準板に光を照射し、白色基準板により反射された光を撮像部により受光して生成される画像データにシェーディング補正を行う。次に、移動手段によりＣＩＳユニットを、前記白色基準板の横に設けられる、複数の光源に対向して凹凸がある部材の位置まで移動させながら複数の光源により前記部材に光を照射し、前記部材により反射された光を撮像部により受光して画像データを生成する。そして、その画像データ基づいて複数の光源それぞれの点灯デューティを調整する。【選択図】  図４
2015095888.tif 000002
【特許請求の範囲】
【請求項１】
原稿を載置する原稿台ガラスと、
前記原稿を載置する側とは反対側にあって、前記原稿台ガラスに対して予め定められた角度で設けられ光を照射する複数の光源と、光を受光して光電変換し画像データを生成する撮像部とを含む読取手段と、
前記読取手段を予め定められた方向に移動させる移動手段と、
前記原稿台ガラスの端部に設けられた白色基準板と、
前記予め定められた方向に沿って前記白色基準板の横に設けられる、前記複数の光源に対向して凹凸がある部材と、
前記移動手段により前記読取手段を前記白色基準板の位置まで移動させ、前記複数の光源により前記白色基準板に光を照射し、前記白色基準板により反射された光を前記撮像部により受光して生成される画像データにシェーディング補正を行う補正手段と、
前記移動手段により前記読取手段を前記部材の位置まで移動させながら、前記複数の光源により前記部材に光を照射し、前記部材により反射された光を前記撮像部により受光して生成される画像データに基づいて前記複数の光源それぞれの点灯デューティを調整する調整手段と、
前記調整手段により調整された複数の光源それぞれの点灯デューティを記憶する記憶手段とを有することを特徴とする画像読取装置。
【請求項２】
前記複数の光源は、それぞれがＬＥＤからなる第１の照明部と第２の照明部とを含み、
前記調整手段は、
前記予め定められた方向に関し、前記部材の凹凸により前記第１の照明部からの照射光が遮られる第１の位置において生成される画像データと、前記部材の凹凸により前記第２の照明部からの照射光が遮られる第２の位置において生成される画像データとを比較する比較手段を含み、
前記比較手段による比較の結果に基づいて、前記第１の照明部と第２の照明部のいずれかの点灯デューティを変化させることで、前記第１の照明部と第２の照明部の点灯デューティを調整することを特徴とする請求項１に記載の画像読取装置。
【請求項３】
前記補正手段は、
前記第１の照明部と第２の照明部とに対してＬＥＤの点灯デューティを設定し、
前記設定された点灯デューティを用いて前記第１の照明部と第２の照明部それぞれのＬＥＤを点灯させ、シェーディング補正を行い、
前記調整手段は、
前記シェーディング補正を行ったときに用いた点灯デューティを用いて、前記第１の照明部と第２の照明部のＬＥＤの点灯デューティの調整を開始することを特徴とする請求項２に記載の画像読取装置。
【請求項４】
前記画像データは輝度値であり、
前記調整手段は、前記第１の位置において生成される輝度値のレベルと前記第２の位置において生成される輝度値のレベルとがバランスしたときの前記第１の照明部と前記第２の照明部それぞれの点灯デューティを調整された点灯デューティとすることを特徴とする請求項２又は３に記載の画像読取装置。
【請求項５】
前記補正手段は、前記調整された点灯デューティを用いて前記第１の照明部と第２の照明部それぞれのＬＥＤを点灯させ、前記白色基準板により反射された光に基づいて生成される画像データから最大輝度値を取得し、該取得した最大輝度値が予め定められた閾値を下回るように、前記調整された点灯デューティを調整した後、シェーディング補正を行うことを特徴とする請求項４に記載の画像読取装置。
【請求項６】
前記調整された点灯デューティの調整は、前記調整手段により調整された前記第１の照明部の点灯デューティと前記第２の照明部の点灯デューティとの比を保ちながら、前記第１の照明部の点灯デューティと前記第２の照明部の点灯デューティの減らすように調整することを特徴とする請求項５に記載の画像読取装置。
【請求項７】
前記第１の照明部と前記第２の照明部のＬＥＤはそれぞれ、赤色ＬＥＤ、緑色ＬＥＤ及び青色ＬＥＤを含むことを特徴とする請求項２乃至６のいずれか１項に記載の画像読取装置。
【請求項８】
前記移動手段は、
前記読取手段を移動させる駆動力を与えるモータと、
前記読取手段を前記予め定められた方向に移動させるガイドレールと、
前記モータの駆動力を伝達するベルトとを含むことを特徴とする請求項７に記載の画像読取装置。
【請求項９】
前記読取手段の撮像部はＣＭＯＳセンサを含むことを特徴とする請求項１乃至８のいずれか１項に記載の画像読取装置。
【請求項１０】
原稿を載置する原稿台ガラスと、前記原稿を載置する側とは反対側にあって、前記原稿台ガラスに対して予め定められた角度で設けられ光を照射する複数の光源と、光を受光して光電変換し画像データを生成する撮像部とを含む読取手段と、前記読取手段を予め定められた方向に移動させる移動手段と、前記原稿台ガラスの端部に設けられた白色基準板とを備えた画像読取装置における光量調整方法であって、
前記移動手段により前記読取手段を前記白色基準板の位置まで移動させ、前記複数の光源により前記白色基準板に光を照射し、前記白色基準板により反射された光を前記撮像部により受光して生成される画像データにシェーディング補正を行う補正工程と、
前記移動手段により前記読取手段を、前記予め定められた方向に沿って前記白色基準板の横に設けられる、前記複数の光源に対向して凹凸がある部材の位置まで移動させながら、前記複数の光源により前記部材に光を照射し、前記部材により反射された光を前記撮像部により受光して生成される画像データに基づいて前記複数の光源それぞれの点灯デューティを調整する調整工程とを有することを特徴とする光量調整方法。
【請求項１１】
前記調整工程において調整された複数の光源それぞれの点灯デューティをメモリに格納する格納工程をさらに有することを特徴とする請求項１０に記載の光量調整方法。
【発明の詳細な説明】
【技術分野】
【０００１】
本発明は画像読取装置及び光量調整方法に関し、特に、例えば、原稿台ガラス上に置かれた原稿の画像をＣＩＳユニットを用いて光学的に読み取る画像読取装置及び光量調整方法に関する。
【背景技術】
【０００２】
従来の光学的に原稿の画像を読取る画像読取装置では、読取センサの光源に複数のＬＥＤをアレイ状に配列したＬＥＤアレイを用いるものがある。そのような装置において、読取りラインに対しＬＥＤアレイを片側から一定の角度を持って配置しただけであると、原稿に凸部による影ができ、その影を読取センサが読み取ってしまう。これは結果的に出力画像の品質低下を招くので、従来より凹凸のある原稿の読取り用として、左右対称にＬＥＤを配設する密着型イメージセンサ（ＣＩＳ）が用いられる（例えば、特許文献１）。
【先行技術文献】
【特許文献】
【０００３】
【特許文献１】特開平８−２７９８８５号公報
【発明の概要】
【発明が解決しようとする課題】
【０００４】
しかしながら上記従来例では、各ＬＥＤの光量バランス調整をする際、白色基準板の輝度レベルに基づいて光量調整を行うことが一般的であるため、実際に立体原稿を読取った際の影レベルを最適にする調整ができていなかった。このため、光量バランスが最適ではないと、厚めの原稿を読取る場合には、その先端と後端での輝度差が生じたり、紙の表面の凸凹が読取った画像に反映され、これが目立つ場合がある。
【０００５】
また、従来の白色基準板の輝度レベルに基づいた光量調整では、シェーディング補正にその光量調整を反映することができず、シェーディング補正をした状態の正規の画像読取とは大きく異なる条件での光量調整しかできないという問題があった。
【０００６】
本発明は上記従来例に鑑みてなされたもので、シェーディング補正をした状態で最適の光量バランス調整を行い、厚めの原稿であっても良好な画像読取を行うことができる画像読取装置及び光量調整方法を提供することを目的としている。
【課題を解決するための手段】
【０００７】
上記目的を達成するために本発明の画像読取装置は次のような構成からなる。
【０００８】
即ち、原稿を載置する原稿台ガラスと、前記原稿を載置する側とは反対側にあって、前記原稿台ガラスに対して予め定められた角度で設けられ光を照射する複数の光源と、光を受光して光電変換し画像データを生成する撮像部とを含む読取手段と、前記読取手段を予め定められた方向に移動させる移動手段と、前記原稿台ガラスの端部に設けられた白色基準板と、前記予め定められた方向に沿って前記白色基準板の横に設けられる、前記複数の光源に対向して凹凸がある部材と、前記移動手段により前記読取手段を前記白色基準板の位置まで移動させ、前記複数の光源により前記白色基準板に光を照射し、前記白色基準板により反射された光を前記撮像部により受光して生成される画像データにシェーディング補正を行う補正手段と、前記移動手段により前記読取手段を前記部材の位置まで移動させながら、前記複数の光源により前記部材に光を照射し、前記部材により反射された光を前記撮像部により受光して生成される画像データに基づいて前記複数の光源それぞれの点灯デューティを調整する調整手段と、前記調整手段により調整された複数の光源それぞれの点灯デューティを記憶する記憶手段とを有することを特徴とする。
【０００９】
また本発明を別の側面から見れば、原稿を載置する原稿台ガラスと、前記原稿を載置する側とは反対側にあって、前記原稿台ガラスに対して予め定められた角度で設けられ光を照射する複数の光源と、光を受光して光電変換し画像データを生成する撮像部とを含む読取手段と、前記読取手段を予め定められた方向に移動させる移動手段と、前記原稿台ガラスの端部に設けられた白色基準板とを備えた画像読取装置における光量調整方法であって、前記移動手段により前記読取手段を前記白色基準板の位置まで移動させ、前記複数の光源により前記白色基準板に光を照射し、前記白色基準板により反射された光を前記撮像部により受光して生成される画像データにシェーディング補正を行う補正工程と、前記移動手段により前記読取手段を、前記予め定められた方向に沿って前記白色基準板の横に設けられる、前記複数の光源に対向して凹凸がある部材の位置まで移動させながら、前記複数の光源により前記部材に光を照射し、前記部材により反射された光を前記撮像部により受光して生成される画像データに基づいて前記複数の光源それぞれの点灯デューティを調整する調整工程とを有することを特徴とする光量調整方法を備える。
【発明の効果】
【００１０】
従って本発明によれば、例えば、表面の凹凸を目立つような厚めの原稿であっても、良好な画像読取を行うことができるという効果がある。
【図面の簡単な説明】
【００１１】
【図１】本発明の代表的な実施例である画像読取装置の構成を示す側断面図である。
【図２】図１に示した画像読取装置の影読取部の構成を示す側断面図である。
【図３】画像読取装置の制御回路の構成を示すブロック図である。
【図４】ＬＥＤの光量調整処理を示すフローチャートである。
【図５】光量調整部材を読取って得られた副走査方向に関する輝度値の変化を示す図である。
【図６】Ｄ１の値が増えていった場合の領域Ａと領域Ｂの平均輝度の変化を示した図である。
【図７】画像読取前の光量調整の処理を示すフローチャートである。
【図８】画像読取前の光量調整における照明部の点灯デューティ（Ｄ１）と最大輝度値（Ｉｍａｘ）との関係を示した図である。
【発明を実施するための形態】
【００１２】
以下添付図面を参照して本発明の好適な実施例について、さらに具体的かつ詳細に説明する。
【００１３】
＜画像読取装置の概要（図１〜図４）＞
図１は本発明の代表的な実施例である画像読取装置（スキャナ装置）１の構成を示す側断面図である。
【００１４】
画像読取装置１はＣＩＳユニットを使用して光を原稿に照射し、原稿による反射光を受光し、これを光電変換することにより電気信号を生成することにより、原稿の画像を読み取る。
【００１５】
図１に示すように、ＣＩＳユニット１３は照明部１３１（第１の照明部）と照明部１３２（第２の照明部）と光学レンズ１３３と撮像部１３４とにより構成され、原稿の載置側とは反対側に原稿台ガラス１４に密着するように配置される。照明部１３１と照明部１３２は夫々、光源として赤色ＬＥＤ、緑色ＬＥＤ及び青色ＬＥＤの３つを備えた白色タイプの導光管を含み、原稿台ガラス１４に対して所定角度だけ傾斜する方向から原稿を照明する。
【００１６】
また、光学レンズ１３３はセルフォックレンズ（登録商標）等から構成され、照明部１３１と照明部１３２から照射され原稿面にて反射された光を、所定の結像位置へと導き、画像原稿からの反射光を等倍で読み取る。
【００１７】
撮像部１３４は複数の光電変換素子等から構成され、光学レンズ１３３により所定の結像位置へと導かれた光を撮像する。この実施例では、撮像部１３４はＣＭＯＳセンサであるとする。撮像部１３４にて撮像された原稿の画像データは、画像記憶部（後述）に格納される。このような構成のＣＩＳユニット１３は、駆動ベルト１６に装着され、ガイドレール１７に沿って矢印Ｈ方向にモータ１８の駆動力が駆動ベルト１６を介して伝達されるにより移動する。  
画像読取装置１は、ＣＩＳユニット１３をモータ１８の駆動力により矢印Ｈの方向（副走査方向）に移動させながら、ＣＩＳユニット１３を紙面とは垂直（一般には交差）方向（主走査方向）に電気的に走査することにより原稿１５の画像を読み取る。一般的に、モータ１８にはステッピングモータやＤＣモータ等が用いられる。また、画像読取時には、原稿台ガラス１４の端部に設けられた白色基準板１２に光を照射して、その反射光からシェーディング補正を行うための基準信号を得る。また、白色基準板１２の横にはＣＩＳユニット１３に対向する側に凹みによる段差を持った光量調整部材１１を取り付けられているが、その機能について後述する。
【００１８】
以上の構成において、原稿台ガラス１４に載置された原稿の画像読取が行われる際には、予め白色基準板１２を用いたシェーディング補正が行われる。同時にＬＥＤ光源の光量調整が行われ、露光量を一定に保つ。ＬＥＤ光量は主走査方向に１ライン毎の点灯する時間をＰＷＭ制御のデューティ比を変化させることで調整を行っている。
【００１９】
図２は画像読取装置１の影読取部の構成を示す側断面図である。
【００２０】
図２に示すように、原稿台ガラス１４の上部には凹みによる段差を持った光量調整部材１１を取り付けられており、これにより照明部１３１と照明部１３２それぞれから照射される光を部分的に遮ることができる構成になっている。つまり、光量調整部材１１は凹凸や段差を持った影を生じさせることができる形状になっており、これを読取ることで光量調整部材１１の影の画像を読取り、その影を反映した画像データを取得することできる。図２において、（ａ）は照明部１３１から照射される光が遮断され影になっている場合を示しており、（ｂ）は照明部１３２から照射される光が遮断され影になっている場合を示している。
【００２１】
図３は画像読取装置１の制御回路の構成を示すブロック図である。
【００２２】
ＣＩＳユニット１３はＬＥＤ駆動回路（ドライバ）３において主走査方向１ライン毎に照明部１３１と照明部１３２の光量調整で行った点灯時間に合わせ、原稿の画像を読み取る。ＬＥＤ駆動回路３は照明部１３１と照明部１３２を任意のＰＷＭのデューティで点灯させることが可能である。
【００２３】
増幅器（ＡＭＰ）２１はＣＩＳユニット１３より出力された電気信号を増幅し、Ａ／Ｄ変換回路２２はその増幅された電気信号をＡ／Ｄ変換して、例えば、各画素を１６ビットの輝度値として表現するデジタル画像データを出力する。Ａ／Ｄ変換回路２２を含め、Ａ／Ｄ変換のために必要な構成をまとめて変換部という。画像処理部６は、Ａ／Ｄ変換回路２２によって変換されたデジタル画像データを画像処理する。画像記憶部７は画像処理部６より送られた画像データを記憶し、インクジェットプリンタや電子写真方式を用いたレーザビームプリンタ、さらには外部装置とのインタフェースに接続し画像転送を行うことができる。
【００２４】
タイミング発生回路４はＣＰＵ５の設定に応じて、主走査方向１ライン毎のＰＷＭデューティを可変することができ、ＬＥＤ駆動回路３にＬＥＤの点灯ＯＮ／ＯＦＦの制御信号を送ることでＬＥＤの光量調整を可能している。なお、ＣＰＵ５はＣＰＵ５が実行するプログラムを格納するＲＯＭ５２とプログラム実行に作業領域として用いられるＲＡＭ５１とを備えている。
【００２５】
次に、図４〜図７を参照して上記構成の画像読取装置１の照明部１３１と照明部１３２の光量調整及び画像読取までの処理について説明する。
【００２６】
照明部１３１と照明部１３２の光量の均一とするための調整（光量調整）は、例えば、画像読取装置１の工場出荷時や、画像読取装置１の設置後のメンテナンス時に行われる。あるいは、使用者が任意の時点で光量均一化の調整を行えるようにしてもよい。
【００２７】
図４はＬＥＤの光量調整処理を示すフローチャートである。
【００２８】
照明部１３１と照明部１３２の光量調整が開始されると、ステップＳ１０１では、照明部１３１の点灯デューティ（Ｄ１）の値を０％に設定し、照明部１３２の点灯デューティ（Ｄ２）を５０％に設定し、それぞれの照明部のＬＥＤを点灯させる。この状態でステップＳ１０２では撮像部１３４で白色基準板１２を読み取れる位置にＣＩＳユニット１３をモータ１８を駆動して移動させ、白色基準板１２に照明部１３１と照明部１３２から光を照射させる。
【００２９】
次に、ステップＳ１０３では白色基準板１２を読み取ることで取得される輝度データを画像記憶部７に格納し、その輝度データに基づいてシェーディング補正を行う。さらにステップＳ１０４ではシェーディング補正の実行後に、照明部１３１と照明部１３２をその点灯デューティ（Ｄ１、Ｄ２）を変化させないまま点灯させ、図１に示す方向Ｂへ移動しながら光量調整部材１１の読み取りを行う。
【００３０】
図５〜図６は光量調整部材を読取って得られた副走査方向に関する輝度値の変化を示す図である。
【００３１】
図５〜図６において、縦軸は主走査方向の１ライン分の輝度データを平均した平均輝度を示し、横軸はＣＩＳユニット１３の位置を示す副走査方向の位置を示す。また、図５〜図６において、照明部１３１からの照射光が遮られるＣＩＳユニット１３の副走査方向の位置（第１の位置）を領域Ａとし、照明部１３２からの照射光が遮られるＣＩＳユニット１３の副走査位置（第２の位置）を領域Ｂとしている。
【００３２】
図５（ａ）は照明部１３１の点灯デューティ（Ｄ１）をＤ１＝０％に設定し、照明部１３２の点灯デューティ（Ｄ２）をＤ２＝５０％に設定した時に光量調整部材１１を読み取って得られた平均輝度の変化を示している。図５（ａ）の場合、照明部１３１は点灯していないため照明部１３１からの照射光が遮られる領域Ａでは輝度データには影響が出ない。一方、照明部１３２からの照射光が遮られる領域Ｂでは照明部１３２のみが点灯していることから他の領域に比べて輝度データは大きく下回るようになる。
【００３３】
図４に戻って説明を続けると、ステップＳ１０５では、領域Ａと領域Ｂそれぞれの輝度データの平均を算出する。そして、ステップＳ１０６では、両者を比較し、領域Ａにおける平均輝度レベル（ＭＢA）が領域Ｂにおける平均輝度レベル（ＭＢB）より高いかどうかを調べる。ここで、ＭＢA≦ＭＢBであると判断された場合（領域Ｂの平均輝度レベルが高かった場合）、処理はステップＳ１０８に進む。ステップＳ１０８では、その時の照明部１３１の点灯デューティ（Ｄ１）をＤ１ｍとして、その時の照明部１３２の点灯デューティ（Ｄ２）をＤ２ｍとして記憶し、処理を終了する。
【００３４】
これに対して、ＭＢA＞ＭＢBと判断された場合（領域Ｂの方が領域Ａよりも平均輝度レベルが低かった場合）、処理はステップＳ１０７に進む。ステップＳ１０７では、照明部１３１の点灯デューティ（Ｄ１）を１０％大きく設定し、その後処理はステップＳ１０２に戻る。この処理を繰り返すごとに照明部１３１の点灯デューティ（Ｄ１）は１０％ずつ光量を増やしていき、領域Ｂの平均輝度レベルが領域Ａのそれ以上になるまで処理を繰り返す。
【００３５】
なお、図５（ｂ）はＤ１＝１０％、Ｄ２＝５０％の場合を、図５（ｃ）はＤ１＝２０％、Ｄ２＝５０％の場合を、図５（ｄ）はＤ１＝３０％、Ｄ２＝５０％の場合を夫々、示している。このように、Ｄ１のデューティを上げていくことにより照明部１３１が遮られる領域Ａへの影響が強くなっていく。一方、照明部１３２が遮られる領域Ｂの影響が弱くなっていき、Ｄ１の値が増えていくことに伴い領域Ｂの平均輝度は増加し、領域Ａの平均輝度は低下する。
【００３６】
図６はＤ１の値が増えていった場合の領域Ａと領域Ｂの平均輝度の変化を示した図である。図６によれば、Ｄ１＝２０％、Ｄ２＝５０％の時に領域Ｂが領域Ａよりも平均輝度が大きくなる。従って、このタイミングでの領域Ａと領域Ｂの平均輝度が最も近いと判断できる。それ故、この時点での点灯デューティ、即ち、Ｄ１＝２０％、Ｄ２＝５０％という値が最適な光量バランスであると判断し、これをＣＰＵ５の不揮発性メモリ（例えば、ＥＥＰＲＯＭ）に記憶する。
【００３７】
次に、画像読取前の光量調整について説明する。
【００３８】
図７は画像読取前の光量調整の処理を示すフローチャートである。
【００３９】
ステップＳ２０１では前述のシェーディング動作時（ステップＳ１０３）と同様に撮像部１３４で白色基準板１２を読み取れる位置にＣＩＳユニット１３をモータ１８を駆動して移動させる。この状態でステップＳ１０８で記憶された照明部１３１の点灯デューティ（Ｄ１ｍ）と照明部１３２の点灯デューティ（Ｄ２ｍ）に基づいて光量調整を行う。
【００４０】
ステップＳ２０２では、Ｄ１ｍとＤ２ｍの値を比較し、ステップＳ２０３では、Ｄ１ｍ＞Ｄ２ｍであるかどうかを調べる。そして、Ｄ１ｍとＤ２ｍの比較で点灯デューティが大きい方を最大の光量となるように調整し、小さい方は前述の光量調整処理によって算出された影に最適なＤ１ｍとＤ２ｍの割合を保つように制御する。
【００４１】
即ち、Ｄ１ｍ＞Ｄ２ｍである場合、処理はステップＳ２０３に進み、照明部１３１の点灯デューティ（Ｄ１）を１００％に設定し、照明部１３２の点灯デューティ（Ｄ２）をＤ１ｍとＤ２ｍの比率がＤ１とＤ２に成り立つように計算する。これに対して、Ｄ１ｍ≦Ｄ２ｍである場合、処理はステップＳ２０５に進み、照明部１３２の点灯デューティ（Ｄ２）を１００％に設定し、照明部１３１の点灯デューティ（Ｄ１）をＤ１ｍとＤ２ｍの比率がＤ１とＤ２に成り立つように計算する。
【００４２】
そして、ステップＳ２０６では、ステップＳ２０４又はステップＳ２０５で調整された照明部１３１の点灯デューティ（Ｄ１）と照明部１３２の点灯デューティ（Ｄ２）でそれぞれの照明を点灯させる。
【００４３】
次に、ステップＳ２０７ではこの状態で白色基準板１２を読み取り、最大輝度値（Ｉｍａｘ）を取得する。さらに、ステップＳ２０８では光量が高すぎることによる画像データの輝度値の飽和を防ぐため、予め決めておいた白色基準板１２によって得られる最大輝度値に関する閾値（Ｉｒｅｆ）とＩｍａｘを比較する。そして、ステップＳ２０９ではＩｒｅｆ＞Ｉｍａｘであるかどうかを調べる。
【００４４】
ここで、Ｉｍａｘ≧Ｉｒｅｆである場合、処理はステップＳ２１１に進み、照明部１３１の点灯デューティ（Ｄ１）と照明部１３２の点灯デューティ（Ｄ２）を光量調整処理によって影に最適に調整されたＤ１ｍとＤ２ｍの比率を保ちながら減らす処理を行う。即ち、ステップＳ２０４〜Ｓ２０５で調整された照明部１３１の点灯デューティ（Ｄ１）と照明部１３２の点灯デューティ（Ｄ２）の値の１０％をそれぞれ減算する。その後、処理はステップＳ２０６に戻り、Ｉｒｅｆ＞Ｉｍａｘとなるまで原稿読取前の光量調整を繰り返し行う。これに対して、Ｉｒｅｆ＞Ｉｍａｘである場合、処理はステップＳ２１０に進み、シェーディング補正を行い、その後、ステップＳ２１２で画像読取を開始する。
【００４５】
図８は画像読取前の光量調整における照明部１３１の点灯デューティ（Ｄ１）と最大輝度値（Ｉｍａｘ）との関係を示した図である。
【００４６】
このようにして影に関する最適な光量をデューティとして算出することができるため、ノイズに対する必要光量の確保するための光量調整とは別に光量バランスの調整を行うことが可能となる。その結果、影に対する光量調整処理の時間を短縮できる。
【００４７】
従って以上説明した実施例に従えば、白色基準板を読取ってシェーディング補正後に、厚めの原稿による影響を反映した光量調整部材を読取って光量調整を行う。このようにすることで、原稿読取時と同じ条件で光量調整が可能となる。その結果、原稿の影を考慮した最適な光量調整を精度良く行うことができる。これにより、例えば、厚めの原稿がその先端と後端での輝度差が生じるのを防いだり、紙の凹凸による陰影が原稿読取に与える影響を少なくし、高品質な画像読取を実現できる。
【００４８】
さらに、複数の光源間での最適な光量バランスを保持したまま、光量が高すぎることによる画像データの輝度値の飽和を防ぐため、最大輝度値の調整を行い、その後、画像読取を行うことができる。これによって、最適な光量での画像読取を実現できる。
【００４９】
また、上述した実施例では、画像読取装置を単機能の装置として独立したスキャナ装置を例として説明したが本発明はこれによって限定されるものではない。例えば、上述の画像読取装置を画像読取部として組み込んだ複写機としても良いし、複写機にファクシミリ機能を加えた複合機としても良い。さらには、複写機の画像形成部として電子写真方式に従うプリンタエンジンのみならず、インクジェット記録方式を採用したプリンタエンジンを備えた構成の装置であっても良い。
【図１】
2015095888.tif 000003
【図２】
2015095888.tif 000004
【図３】
2015095888.tif 000005
【図４】
2015095888.tif 000006
【図５】
2015095888.tif 000007
【図６】
2015095888.tif 000008
【図７】
2015095888.tif 000009
【図８】
2015095888.tif 000010